(57)【要約】      （修正有）【課題】液晶ディスプレイや操作パネル等のパネルユニットを備える記録装置において、用紙ガイドの使用時の操作性に優れるとともに、小型で携帯し易い記録装置を提供する。【解決手段】搬送される媒体を挿入する開口部１３を有する媒体セット部６と、媒体セット部６にセットされる媒体の端部をガイドする第１のエッジガイド部１１と、所定の機能を有するパネルユニット８と、を備え、第１のエッジガイド１１は、パネルユニット８と、開口部１３とがオーバーラップしていない領域において移動可能である。【選択図】図３
2015202615.tif 000002
【特許請求の範囲】
【請求項１】
搬送される媒体を挿入する開口部を有する媒体セット部と、
前記媒体セット部にセットされる媒体の端部をガイドする第１のエッジガイド部と、
所定の機能を有するパネルユニットと、
を備え、
前記第１のエッジガイドは、前記パネルユニットと、前記開口部とがオーバーラップしていない領域において移動可能である、
ことを特徴とする、記録装置。
【請求項２】
請求項１に記載された記録装置において、
前記パネルユニットに、前記媒体セット部に前記媒体が載置される載置面と対向する斜面が設けられている、
ことを特徴とする、記録装置。
【請求項３】
請求項２に記載された記録装置において、
少なくとも前記媒体セット部の前記開口部を開閉し、開状態において前記媒体セット部にセットされる媒体を支持する第１の開閉部を備え、
前記開状態の前記第１の開閉部の媒体支持面は、前記パネルユニットの前記斜面の傾斜に沿っている、
ことを特徴とする、記録装置。
【請求項４】
請求項１から３のいずれか一項に記載された記録装置において、
前記パネルユニットはチルト可能に構成された液晶ディスプレイであり、
該液晶ディスプレイが閉じた状態において、前記開口部の一部とオーバーラップする、
ことを特徴とする、記録装置。
【請求項５】
請求項１から４のいずれか一項に記載された記録装置において、
媒体に記録を行う記録ヘッドを備え、所定方向に往復移動するキャリッジと、
前記キャリッジに形成された段差部と、を備え、
前記パネルユニットは、前記記録装置の奥行方向において、前記段差部の少なくとも一部とオーバーラップする、
ことを特徴とする、記録装置。
【請求項６】
請求項５に記載された記録装置において、
前記パネルユニットは、前記記録装置の高さ方向において、前記段差部の少なくとも一部とオーバーラップする、
ことを特徴とする、記録装置。
【請求項７】
請求項１から請求項６のいずれか一項に記載の記録装置において、
前記開口部に前記パネルユニットがオーバーラップした状態で、ロール状の媒体を給紙可能である、
ことを特徴とする、記録装置。
【請求項８】
請求項１から７のいずれか一項に記載された記録装置において、
前記第１のエッジガイドに対向する側に第２のエッジガイドを備え、
前記第１のエッジガイド部は、
前記媒体の搬送方向下流側から見て右側に設けられており、
該第１のエッジガイド部を操作して、両エッジガイド部の間隔を変える構成である、
ことを特徴とする、記録装置。
【請求項９】
請求項８に記載された記録装置において、
前記第１のエッジガイド部よりも前記第２のエッジガイド部が小さく形成されている、
ことを特徴とする、記録装置。
【請求項１０】
請求項１から９のいずれか一項に記載された記録装置において、
媒体に記録を行う記録ヘッドを備え、所定方向に往復移動するキャリッジと、
前記キャリッジの往復移動領域において開閉する第２の開閉部を備え、
前記パネルユニットと前記第２の開閉部は、前記記録装置の奥行方向に連なって配置される、
ことを特徴とする、記録装置。
【発明の詳細な説明】
【技術分野】
【０００１】
本発明は、記録装置に関するものである。
【背景技術】
【０００２】
近年、インクジェット記録装置等の記録装置は、屋内において据え置きで使用する記録装置の他、屋外へ持ち運び可能な小型の記録装置が普及しつつある。記録装置を鞄等に入れて持ち運ぶためには、コンパクトで携帯性に優れた記録装置が求められており、その小型化のための工夫が成されている。
【０００３】
例えば、操作ボタン類を配置した操作パネルや、メニューやエラー等の各種情報を表示する液晶ディスプレイ（以下、ＬＣＤと称する場合がある）は、その角度を変えて動かすことができる、所謂、チルト式に構成される。前記操作パネルやＬＣＤを記録装置の上面部に設ける場合、使用しないときには、前記上面と一体となるように前記操作パネルやＬＣＤを折りたたみ、使用するときにはそれらを引き起こして操作性や視認性のよい角度にすることによって記録装置が小型化され、その携帯性が高められている。
【０００４】
特許文献１には、印刷装置１０の上面に、前記上面に対して傾斜角度が変わるように表示パネル２１が配置され、使用するときにはパネル２１を引き起こし、使用しないときには前記上面と同じ角度で重なるように倒すことができる印刷装置が開示されている。
【０００５】
また、特許文献２のインクジェットプリンタ５０では、記録紙Ｐを入れる給送用開口部２に重ならない位置に、チルト式の液晶ディスプレイ１０が配置されている。
【先行技術文献】
【特許文献】
【０００６】
【特許文献１】特開２０１３−１９３３４６号公報
【特許文献２】特開２００９−７５５１６号公報
【発明の概要】
【発明が解決しようとする課題】
【０００７】
ここで、特許文献１の印刷装置１０の上面には、印刷用紙５０を供給する供給口５３が設けられている。そして、表示パネル２１を前記上面と同じ角度で重なるように倒すと、該表示パネル２１によって供給口５３が塞がれる。  
そのため、供給口５３に印刷用紙５０を供給するとき、すなわち、印刷装置１０の使用時には、表示パネル２１を引き起こしてから使用する必要がある。
【０００８】
また、複数種のサイズの印刷用紙への印刷を行うことができる印刷装置においては、供給口内に印刷用紙の幅方向の側端をガイドする用紙ガイドが設けられており、該用紙ガイドを印刷用紙のサイズに応じてユーザーが移動可能に構成される。その場合、表示パネルを引き起こすと該表示パネルを正面から見たときに供給口内が見え難く、前記用紙ガイドをユーザーが移動させる際に、表示パネルの奥側に位置する供給口を覗き込んで操作する必要がある。
【０００９】
一方、特許文献２のように、給送用開口部２に重ならないように液晶ディスプレイ１０を配置すると、特許文献１の課題である用紙ガイドの操作性はよくなるが、開口部２に液晶ディスプレイ１０を完全に重ならないようにしているため、完全に塞ぐ特許文献１と比較し、奥行方向（特許文献２の図１において、矢印Ｙの軸方向）に装置サイズが大きくなる。  
そこで、本発明の目的は、液晶ディスプレイや操作パネル等のパネルユニットを備える記録装置において、用紙ガイドの使用時の操作性に優れるとともに、小型で携帯し易い記録装置を提供することにある。
【課題を解決するための手段】
【００１０】
上記課題を解決するため、本発明の第１の態様に係る記録装置は、搬送される媒体を挿入する開口部を有する媒体セット部と、前記媒体セット部にセットされる媒体の端部をガイドする第１のエッジガイド部と、所定の機能を有するパネルユニットと、を備え、前記第１のエッジガイドは、前記パネルユニットと、前記開口部とがオーバーラップしていない領域において移動可能である、ことを特徴とするものである。
【００１１】
本態様によれば、媒体セット部の前記開口部の一部と、前記パネルユニットとはオーバーラップして設けられているので、前記パネルユニットをより省スペースで配置することが可能となり、記録装置を小型化することができる。  
加えて、第１のエッジガイド部は、前記パネルユニットと、前記開口部とがオーバーラップしていない領域において移動可能であるので、該パネルユニットによって前記第１のエッジガイド部を移動させるときの操作性が低下することがない。  
尚、「前記開口部とがオーバーラップしていない領域」の『領域』は、前記パネルユニットによって前記第１のエッジガイド部の移動操作が妨げられない位置に、該第１のエッジガイド部を設けることができる領域であり、その『領域』の境界位置の厳密さは必要としない。
【００１２】
本発明の第２の態様に係る記録装置は、第１の態様において、前記パネルユニットに、前記媒体セット部に前記媒体が載置される載置面と対向する斜面が設けられている、ことを特徴とするものである。
【００１３】
本態様によれば、前記パネルユニットに前記載置面と対向する斜面が設けられているので、該載置面と、当該載置面に向かい合う前記パネルユニットの背面とを略平行にすることができる。以って、前記載置面と前記パネルユニットとの間に、前記媒体をセットするための空間を確保し易くすることができる。
【００１４】
本発明の第３の態様に係る記録装置は、第２の態様において、少なくとも前記媒体セット部の前記開口部を開閉し、開状態において前記媒体セット部にセットされる媒体を支持する第１の開閉部を備え、前記開状態の前記第１の開閉部の媒体支持面は、前記パネルユニットの前記斜面の傾斜に沿っている、ことを特徴とするものである。
【００１５】
本態様によれば、開状態の第１の開閉部によって前記媒体セット部にセットされる媒体を支持させて、前記媒体を安定して記録装置に送ることができる。
【００１６】
本発明の第４の態様に係る記録装置は、第１の態様から第３の態様のいずれか一つにおいて、前記パネルユニットはチルト可能に構成された液晶ディスプレイであり、該液晶ディスプレイが閉じた状態において、前記開口部の一部とオーバーラップする、ことを特徴とするものである。
【００１７】
本態様によれば、パネルユニットとしてチルト可能に構成された液晶ディスプレイを備えた記録装置において、該液晶ディスプレイが閉じた状態で、第１の態様から第３の態様のいずれか一つと同様の作用効果を得ることができる。  
また、前記チルト可能に構成された液晶ディスプレイが前記開口部にオーバーラップする位置は、前記第１のエッジガイド部の操作領域外であるので、液晶ディスプレイが引き起こされた状態において、当該第１のエッジガイド部が見え難くなる虞が低減する。
【００１８】
本発明の第５の態様に係る記録装置は、第１の態様から第４の態様のいずれか一つにおいて、媒体に記録を行う記録ヘッドを備え、所定方向に往復移動するキャリッジと、前記キャリッジに形成された段差部と、を備え、前記パネルユニットは、前記記録装置の奥行方向において、前記段差部の少なくとも一部とオーバーラップする、ことを特徴とするものである。
【００１９】
本態様によれば、装置全体が奥行方向に大型化する虞を低減することができる。
【００２０】
本発明の第６の態様に係る記録装置は、第５の態様において、前記パネルユニットは、前記記録装置の高さ方向において、前記段差部の少なくとも一部とオーバーラップする、ことを特徴とするものである。
【００２１】
本態様によれば、装置全体が高さ方向に大型化する虞を低減することができる。
【００２２】
本発明の第７の態様に係る記録装置は、第１の態様から第６の態様のいずれか一つにおいて、前記開口部に前記パネルユニットがオーバーラップした状態で、ロール状の媒体を給紙可能である、ことを特徴とするものである。
【００２３】
本態様によれば、第１の態様から第６の態様のいずれかと同様の作用効果を奏し、ロール紙に対する記録が可能な記録装置とすることができる。
【００２４】
本発明の第８の態様に係る記録装置は、第１の態様から第７の態様のいずれか一つにおいて、前記第１のエッジガイドに対向する側に第２のエッジガイドを備え、前記第１のエッジガイド部は、前記媒体の搬送方向下流側から見て右側に設けられており、該第１のエッジガイド部を操作して、両エッジガイド部の間隔を変える構成である、ことを特徴とするものである。
【００２５】
尚、本明細書において「下流」とは、記録装置において被記録媒体が搬送されていく方向をいい、これと反対の方向を「上流」というものとする。  
携帯可能なコンパクトタイプの記録装置では、該記録装置を正面から見たときに奥側に記録用紙等の媒体をセットし、記録後の前記媒体が記録装置の手前側から排出されるように構成されるものがある。  
本態様によれば、前記記録装置を正面から見たときに右側に設けられる第１のエッジガイド部をユーザーが操作して、両エッジガイド部の間隔を変えることができる。このことによって、右利きのユーザーが操作し易い構成とすることができる。
【００２６】
本発明の第９の態様に係る記録装置は、第８の態様において、前記第１のエッジガイド部よりも前記第２のエッジガイド部が小さく形成されている、ことを特徴とするものである。
【００２７】
右側の第１のエッジガイド部は、ユーザーが手で持って操作し易い大きさに形成される。一方、第２のエッジガイド部はユーザーによって操作されるものではないので、媒体をガイドするために必要な大きさでよく、前記第１のエッジガイド部よりも小さく形成することができる。  
ここで、前記第２のエッジガイド部は前記第１のエッジガイドに対向する側にあり、前記第１のエッジガイド部の操作領域外にあるので、前記開口部の一部とオーバーラップするパネルユニットの下方に位置する場合がある。
【００２８】
本態様によれば、第１のエッジガイド部よりも第２のエッジガイド部を小さく形成して、前記パネルユニットに干渉しないように構成することができる。また、サイズが小さい第２のエッジガイド部は操作し難いので、ユーザーが誤って第２のエッジガイド部を操作しようとする虞を少なくすることができる。
【００２９】
本発明の第１０の態様に係る記録装置は、第１の態様から第９の態様のいずれか一つにおいて、媒体に記録を行う記録ヘッドを備え、所定方向に往復移動するキャリッジと、前記キャリッジの往復移動領域において開閉する第２の開閉部を備え、前記パネルユニットと前記第２の開閉部は、前記記録装置の奥行方向に連なって配置される、ことを特徴とするものである。
【００３０】
本態様によれば、装置全体が奥行方向に大型化する虞を低減することができる。
【図面の簡単な説明】
【００３１】
【図１】本発明の一実施例に係る記録装置を表す斜視図。
【図２】図１に示す記録装置において上面カバーと排紙カバーを開いた状態を表す斜視図。
【図３】図２に示す記録装置の上面図。
【図４】図３に示す記録装置のＡ−Ａ矢視断面図。
【図５】本発明の一実施例に係る記録装置における媒体ガイド部と、第１および第２のエッジガイド部を表す要部拡大図。
【図６】第１のエッジガイド部および第２のエッジガイド部の移動機構について説明する図であり、（Ａ）は両エッジガイド部が最も外側に位置した状態、（Ｂ）は第２のエッジガイド部が最も内側にある状態、（Ｃ）は第１のエッジガイド部が最も内側にある状態。
【図７】図２に示す記録装置の要部拡大図であり、（Ａ）は液晶ディスプレイが閉じた状態、（Ｂ）は液晶ディスプレイが引き起こされた状態。
【図８】図２に示す記録装置において、第２の開閉部を開けた状態を表す図。
【図９】図３に示す記録装置のＢ−Ｂ矢視断面図。
【図１０】図３に示す記録装置のＣ−Ｃ矢視断面図。
【図１１】本発明の他の実施例に係る記録装置を表す斜視図。
【図１２】上面カバーが開いた状態の図１０の記録装置を背面側から見た斜視図。
【発明を実施するための形態】
【００３２】
以下において、本発明の一実施形態に係る記録装置について、添付図面を参照して説明する。尚、本発明はこれらによって制約されるものではない。
【００３３】
［実施例１］
まず、本発明の一実施例に係る記録装置１の概略について説明する。本実施例の記録装置１の一例として、インクジェット式記録装置を例に挙げる。図１は、本発明の一実施例に係る記録装置１を表す斜視図である。図２は、図１に示す記録装置において上面カバー３と排紙カバー４を開いた状態を表す斜視図である。図３は、図２の上面図である。図４は、図３に示す記録装置のＡ−Ａ矢視断面図である。図５は、本発明の一実施例に係る記録装置における媒体ガイド部およびエッジガイド部を表す要部拡大図である。図６は、第１のエッジガイド部および第２のエッジガイド部の移動機構について説明する図であり、（Ａ）は両エッジガイド部が最も外側に位置した状態、（Ｂ）は第２のエッジガイド部が最も内側にある状態、（Ｃ）は第１のエッジガイド部が最も内側にある状態である。
【００３４】
記録装置１は図１に示すように、該記録装置１の本体２、本体２の上面部５（図２を参照）を覆う上面カバー３、および本体２の図１における前面（＋Ｙ方向側の側面）側に設けられる排紙カバー４によって、その外観が構成されている。  
なお、各図に示すＺ軸の−Ｚ方向は重力方向であり、重力方向側を下方（下部、下面等を含む）、その反対側を上方（上部、上面等を含む）という。
【００３５】
図２および図３に示すように、上面部５には、記録装置１において、記録紙等の媒体Ｐ（図４を参照）を挿入する開口部１３を有する媒体セット部６が設けられている。本実施例において、上面カバー３は、媒体セット部６の開口部１３を含む上面部５を開閉する第１の開閉部である。また、上面カバー３は、開状態において媒体セット部６にセットされる媒体Ｐを支持面１４で支持するように構成されている。
【００３６】
次に、媒体Ｐの搬送経路に従って、記録装置１の内部構造の概略を図４を用いて説明する。  
記録装置１において、媒体Ｐは、図４の＋Ｙ方向へ搬送される構成である。尚、以下において、記録装置１において媒体Ｐが搬送されていく方向を「下流」といい、これと反対の方向を「上流」という場合がある。
【００３７】
本体２の内部には、媒体Ｐに液体を吐出して記録を行う記録ヘッド１５を備えたキャリッジ１６が、媒体Ｐの搬送方向（＋Ｙ方向）と交差する方向（Ｘ軸方向）に往復動するように設けられている。キャリッジ１６には、媒体Ｐに記録を行うための液体（例えばインク）を記録ヘッド１５に供給するための液体収納体１７が搭載されている。  
また、キャリッジ１６の−Ｙ方向には上方向から下方向への段差部２８が設けられている。段差部２８下方の本体２の内部には、キャリッジを往復動時に摺動するフレーム２９が設けられている。
【００３８】
媒体Ｐは開口部１３から挿入され、載置面１８に積載されて媒体セット部６にセットされる。媒体セット部６にセットされた媒体Ｐは、給紙ローラー１９により単位数ずつピックアップされて搬送方向下流に向けて給送される。
【００３９】
更に、搬送方向上流側から送られる媒体Ｐは、搬送用駆動ローラー２０ａと、搬送用駆動ローラー２０ａに圧接する搬送用従動ローラー２０ｂと、によって構成される搬送用ローラー２０によって挟圧された状態で、記録ヘッド１５の下方（−Ｚ方向側）の記録位置に搬送される。
【００４０】
記録ヘッド１５の下方には、記録ヘッド１５と対向して記録ヘッド１５の液体吐出面と媒体Ｐとの間のギャップを規定するプラテン２１が設けられている。記録ヘッド１５とプラテン２１との間において、媒体Ｐに記録ヘッド１５から液体（インク）を吐出することによって、媒体Ｐに対して記録が実行される。  
記録が行われた媒体Ｐは，記録ヘッド１５の搬送方向下流に設けられる排出用駆動ローラー２２ａと、従動ローラー２２ｂによって構成される排出用ローラー２２によって送られて媒体排出部１０から排出され、排紙カバー４上に載置されるように構成されている。
【００４１】
媒体セット部６には、媒体セット部６にセットされる媒体Ｐの幅方向（図のＸ軸方向）の両側端をガイドする第１のエッジガイド部１１と第２のエッジガイド部１２を備えている。本実施例において、第１のエッジガイド部１１は、媒体Ｐのサイズに応じてユーザーが操作して、Ｘ軸方向にスライド移動可能に設けられている。  
一方、第２のエッジガイド部１２は、ユーザーが操作することを前提に設けられてはいない。具体的には、第２のエッジガイド部１２は、図６（Ａ）〜（Ｃ）に示すラックピニオン機構により、第１のエッジガイド部１１と同期してスライド移動するように設けられている。
【００４２】
第１のエッジガイド部１１には、第２のエッジガイド部１２に向けて延びるアーム部１１ｂが形成されており、その先端にはラック部１１ａが形成されている。また同様に、第２のエッジガイド部１２には、第１のエッジガイド部１１に向けて延びるアーム部１２ｂが形成されており、その先端にはラック部１２ａが形成されている。  
ラック部１１ａとラック部１２ａの間には、ピニオン２３が回転自在に設けられている。符号２３ａはピニオン２３においてラック部１１ａと噛合する第１ギア部、符号２３ｂはピニオン２３においてラック部１２ａと噛合する第２ギア部をそれぞれ示している。
【００４３】
第２のエッジガイド部１２には、前述のように第１のエッジガイド部１１と同期して、媒体Ｐの幅方向にスライド移動可能に設けられるとともに、不図示の摩擦手段によりそのスライドに摩擦抵抗が与えられている。またピニオン２３にも、不図示の摩擦手段により、その回転に摩擦抵抗が与えられている。
【００４４】
図６（Ａ）は、第１のエッジガイド部１１と第２のエッジガイド部１２の両エッジガイド部が最も外側に位置した状態であり、記録装置１において記録可能な最大幅サイズの媒体Ｐに対応している。この状態ではラック部１１ａ、１２ａはそれぞれピニオン２３と噛合している。このときの第１のエッジガイド部１１の位置がＸ４、第２のエッジガイド部１２の位置をＸ０である。  
この状態から、媒体Ｐの幅サイズに応じて、第１のエッジガイド部１１を図の左方向（第２のエッジガイド部１２に近づく方向）にスライド移動させると、ラックピニオン機構が稼働し、第２のエッジガイド部１２は第１のエッジガイド部１１に同期して第１のエッジガイド部１１に近づく方向（図の右方向）に変位する。
【００４５】
しかしながら、ラック部１１ａ、１２ａは、それぞれアーム部１１ｂ、１２ｂの一部分にのみ形成されているので、第１のエッジガイド部１１が所定量スライドすると、図６（Ｂ）に示すように、ラック部１１ａ、１２ａはそれぞれピニオン２３との噛合を終了する。すなわち、この状態から第１のエッジガイド部１１を、更に第２のエッジガイド部１２に近づく方向（図の左方向）に移動させても、第２のエッジガイド部１２は同期してスライド移動しない。したがって、図６（Ｂ）は、第２のエッジガイド部が最も内側にある状態を示している。第１のエッジガイド部１１がＸ３の位置まで移動したときに、第２のエッジガイド部１２はＸ１の位置まで移動する。
【００４６】
一方、第１のエッジガイド部１１は、ピニオン２３との噛合を終了した後も、更に第２のエッジガイド部１２に近づく方向（図の左方向）に移動することができる。第１のエッジガイド部１１は、両エッジガイド部の間隔が、記録装置１において記録可能な最小サイズの媒体Ｐに対応する間隔になる位置まで移動可能に構成されている、そして、その位置より更に第２のエッジガイド部１２へは移動しないように、図示しない規制部によって移動が規制されている。図６（Ｃ）は、第１のエッジガイド部が最も内側にある状態を示している。このときの第１のエッジガイド部１１の位置はＸ２である。
【００４７】
第１のエッジガイド部１１は、ユーザーが例えば手で操作することにより、Ｘ４の位置からＸ２の位置まで移動可能である。このとき、Ｘ４とＸ２との間の領域を、以下において、操作領域Ｒという。また、「操作領域Ｒ外」とは、Ｘ０とＸ２との間の領域をいう。  
尚、上記ラックピニオン機構を用いた構成において、第２のエッジガイド部１２自体はユーザーが直接操作しないので、第２のエッジガイド部１２の移動領域（Ｘ０とＸ１の間）は「操作領域Ｒ」には含まれない。また、「操作領域Ｒ」の境界位置の厳密さは必要としない。
【００４８】
尚、本実施例において、ピニオン２３においてラック部１１ａと噛合する第１ギア部の歯外形と、ラック部１２ａと噛合する第２ギア部の歯外形の違いにより、第１のエッジガイド部１１と第２のエッジガイド部１２の移動量を変えるように構成されている。具体的には、第１のエッジガイド部１１の移動量に対して、第２のエッジガイド部１２が多く移動するように構成されている。  
また、記録装置１において記録可能な最大幅サイズの媒体Ｐ［図６（Ａ）のＸ０−Ｘ４の幅サイズ］に対しては、媒体Ｐの端部に余白無く記録を行う縁無し記録を実行せず、最大幅サイズより小さいサイズ［例えば、図６（Ｂ）のＸ１−Ｘ３の幅サイズ以下］の媒体Ｐに対して縁無し記録を実行するように構成されている。
【００４９】
次に、本体２の上面部５に設けられる各種機能を有するパネルユニットについて説明する。図７は、図２に示す記録装置の要部拡大図であり、（Ａ）は液晶ディスプレイが閉じた状態、（Ｂ）は液晶ディスプレイが引き起こされた状態である。
【００５０】
本体２の上面部５には、所定の機能を有するパネルユニットとしての液晶ディスプレイ８が設けられている。液晶ディスプレイ８は、メニューやエラー等の各種情報を表示するためのものである。また、他の機能を有するパネルユニットとして、操作ボタン類を配置した操作パネル７が設けられている。
【００５１】
ここで、パネルユニットの一つである液晶ディスプレイ８は、第１のエッジガイド部１１の操作領域Ｒ外において、開口部１３の一部とオーバーラップするように設けられている。言い換えると、第１のエッジガイド部１１は、液晶ディスプレイ８が開口部１３とオーバーラップしない領域（操作領域Ｒ）において移動可能に設けられている。  
図７において、第１のエッジガイド部１１は、図６（Ｃ）のＸ２の位置にあり、操作領域Ｒの第２のエッジガイド部１２に最も近い側に位置する状態である。図７（Ａ）および図７（Ｂ）において、第１のエッジガイド部１１より左側（−Ｘ側）が操作領域Ｒ外の領域である。
【００５２】
また、液晶ディスプレイ８は、記録装置１の正面側（＋Ｙ側）に画面が引き起こされるようにチルト可能に構成されている［図７（Ｂ）］。そして、液晶ディスプレイ８が閉じた状態［図７（Ａ）］において、開口部１３とオーバーラップするように構成されている。  
このことによって、液晶ディスプレイ８を記録装置１の奥行方向（Ｙ軸方向）に省スペースで配置することが可能となる。記録装置１を小型化することができる。
【００５３】
またこのとき、第１のエッジガイド部１１の操作領域Ｒは、液晶ディスプレイ８が開口部１３にオーバーラップしない領域であるので、開口部１３にオーバーラップした液晶ディスプレイ８によって、第１のエッジガイド部１１の操作性が低下することがない。加えて、チルト式の液晶ディスプレイ８を引き起こされた状態にしても、第１のエッジガイド部１１が見え難くなることがない。
【００５４】
更に、液晶ディスプレイ８は、開口部１３とオーバーラップしている部分に、図４および図９に示す斜面２４が形成されている。その斜面２４は、媒体セット部６に媒体Ｐが載置される載置面１８と対向するように形成されている。尚、図９は、図３に示す記録装置のＢ−Ｂ矢視断面図である。
【００５５】
液晶ディスプレイ８は、媒体セット部６の開口部１３にオーバーラップしているので、媒体セット部６における媒体Ｐの載置面１８に対して液晶ディスプレイ８の背面側（上面部５と反対側）が張り出し、液晶ディスプレイ８が開口部１３にオーバーラップしない場合（例えば図１０に示すように、開口部１３にオーバーラップしない位置に操作パネル７が設けられている場合）に比して媒体Ｐを載置する空間が狭くなってしまう。尚、図１０は、図３に示す記録装置のＣ−Ｃ矢視断面図である。
【００５６】
斜面２４が設けられていることによって、媒体Ｐの載置面１８と、載置面１８に向かい合う液晶ディスプレイ８の背面側とを略平行にすることができる。以って、載置面１８と液晶ディスプレイ８との間に、媒体Ｐをセットするための空間２６を確保し易くすることができる。本実施例に係る記録装置１においては、液晶ディスプレイ８が閉じた状態で、媒体セット部６に媒体Ｐの種類に応じた所定の最大積載枚数を積載できるように、載置面１８と斜面２４の間の距離（空間２６に相当）が設定されている。  
尚、本明細書において平行とは、載置面１８と斜面２４とが全く同じ角度に傾けられた厳密な平行を意味するものではなく、媒体セット部６において、載置面１８と斜面２４との間が急激に狭まることのないような略平行であればよい。
【００５７】
さらに、開いた状態で支持面１４に媒体Ｐを支持する上面カバー３は、その支持面１４が液晶ディスプレイ８の斜面２４の傾斜に沿うように構成されている。このことによって、支持面１４と斜面２４も前述した略平行な状態にすることができるので、開状態の上面カバー３によって媒体Ｐを支持させて、媒体Ｐを安定して搬送させることができる。
【００５８】
また、液晶ディスプレイ８は、記録装置１の奥行方向（Ｙ軸方向）において、キャリッジ１６に形成された段差部２８とオーバーラップするように設けられている（図４、図９を参照）。また、操作パネル７も同様に奥行方向において、段差部２８とオーバーラップするように設けられている（図１０を参照）。このように、液晶ディスプレイ８や操作パネル７等のパネルユニットが、キャリッジ１６の段差部２８の少なくとも一部とオーバーラップすることによって、記録装置１の奥行方向への大型化を避け、記録装置１をより小型化することができる。
【００５９】
加えて、液晶ディスプレイ８は、図４、図９および図１０に表されるように、記録装置１の高さ方向（Ｘ軸方向）において段差部２８の少なくとも一部とオーバーラップするように構成されていることが好ましい。このことによって、記録装置１の高さ方向への大型化を避け、記録装置１をより小型化することができる。
【００６０】
また、本体２の上面部５には、本体２内のキャリッジの往復移動領域に対して開閉する第２の開閉部としての開閉カバー９を備えている。図８は、図２に示す記録装置において、開閉カバー９を開けた状態を表す図である。図８において、キャリッジ（図４における符号１６）は、＋Ｘ側にあるホームポジションに位置している。
【００６１】
液晶ディスプレイ８と開閉カバー９は、記録装置１の奥行方向（Ｙ軸方向）に連なって配置されている。また、操作パネル７と開閉カバー９も同様に奥行方向に連なって配置されている。このことによって、記録装置１の奥行方向への大型化を避け、記録装置１をより小型化することができる。
【００６２】
更に、液晶ディスプレイ８は、記録装置１の高さ方向（Ｘ軸方向）において、開閉カバー９の少なくとも一部とオーバーラップするように構成されていることが好ましい。このことによって、記録装置１の高さ方向への大型化を避け、記録装置１をより小型化することができる。
【００６３】
また、ユーザーが手で操作する第１のエッジガイド部１１は、本実施例のように、媒体Ｐの搬送方向下流側から見て右側（図３において右側）に設けられていることが望ましい。このことによって、右利きのユーザーが操作し易い構成とすることができる。  
またこのとき、液晶ディスプレイ８は、第１のエッジガイド部１１の操作領域Ｒの左側に設けられることになるので、第１のエッジガイド部１１を手で操作しているときに、その操作する手によって液晶ディスプレイ８の画面が塞がれて見え難くなる虞が低減できる。
【００６４】
また、第２のエッジガイド部１２は、第１のエッジガイド部１１よりも小さく形成されていることが望ましい。  
右側の第１のエッジガイド部は手で持って移動させるので、手で持ったときに操作し易いように大きめに形成される（例えば図５を参照）。一方、第２のエッジガイド部１２は、前述のようにユーザーが手で操作することを前提に設けられているものではない。したがって、媒体をガイドするために必要な大きさで足り、第１のエッジガイド部１１よりも小さく形成することができる。
【００６５】
ここで、第２のエッジガイド部１２は第１のエッジガイド１１に対向する側にあり、第１のエッジガイド部１１の操作領域Ｒ外にあるので、開口部１３にオーラップしている液晶ディスプレイ８の下方に位置する場合がある。  
第１のエッジガイド部１１よりも第２のエッジガイド部１２が小さく形成することによって、液晶ディスプレイ８に対して高さ方向に干渉しないようにすることができる。また、第２のエッジガイド部１２のサイズが小さいと操作し難いので、ユーザーが誤って第２のエッジガイド部１２を操作しようとする虞を少なくすることができる。
【００６６】
尚、本実施例では、液晶ディスプレイ８が媒体ガイド部６の開口部１３にオーバーラップして設けられる場合について説明したが、操作パネル７等の他のパネルユニットが開口部１３にオーバーラップする構成とすることができるのは勿論である。また、開口部１３にオーバーラップして設けられるパネルユニットは複数であってもよい。  
また、媒体Ｐを挿入する媒体ガイド部６および液晶ディスプレイ８等のパネルユニットは、記録装置１の上面部５側に配置される場合のみならず、例えば、装置前面等の側面部に設けられる構成であってもよい。
【００６７】
また、本実施例において、第２のエッジガイド部１２は、ラックピニオン機構によって第１のエッジガイド部１１を手で移動させる動きと同期するように構成されているが、第２のエッジガイド部１２が固定されており、第１のエッジガイド部１１のみが動く構成とすることもできる。
【００６８】
また、第１のエッジガイド部１１と第２のエッジガイド部１２の両方をユーザーが操作する構成であってもよい。その場合には、両エッジガイド部の間の領域であって、第１のエッジガイド部１１側の操作領域Ｒと、第２のエッジガイド部１２側の操作領域Ｒから外れた領域において、液晶ディスプレイ８等のパネルユニットが開口部１３にオーバーラップするように構成する。
【００６９】
また、本実施例では、装置右側の第１のエッジガイド部１１をユーザーが手で操作し、その操作に同期して装置左側の第２のエッジガイド部１２がラックピニオン機構によって移動する構成であるが、その逆であっても良い。
【００７０】
また、第２のエッジガイド部１２を設けず、第１のエッジガイド部１１のみを備える記録装置であってもよい。その場合には、開口部１３の第１のエッジガイド部１１と対向する側によって側壁が媒体Ｐの端部がガイドされるように構成することができる。
【００７１】
以上説明した本実施例に記載の記録装置１によれば、パネルユニットとしての液晶ディスプレイ８が媒体ガイド部６の開口部１３の一部とオーバーラップして設けられていることによって、小型で携帯し易い記録装置１とすることができる。  
このとき、液晶ディスプレイ８が開口部１３にオーバーラップしない領域に、第１のエッジガイド部１１の操作領域Ｒが設けられているので、開口部１３にオーバーラップした液晶ディスプレイ８によって、第１のエッジガイド部１１の操作が妨げられない。したがって、チルト式の液晶ディスプレイ８が閉じた状態であっても、引き起こされた状態であっても、第１のエッジガイド部１１が操作し易い。  
また、第１のエッジガイド部１１をユーザーが操作しているときに、液晶ディスプレイ８の画面が手で覆われて見え難くなる虞が低減される。以って、第１のエッジガイド部１１の使用時の操作性、利便性に優れた記録装置１とすることができる。
【００７２】
［本発明に係る記録装置の他の構成について］
実施例１に係る記録装置１は、上記のように、前記媒体セット部にセットされる媒体を支持する第１の開閉部を備え、媒体セット部に単票紙をセットする構成であるが、本発明は、ロール紙に記録を行う記録装置に対しても適用可能である。  
は、本発明の他の実施例に係る記録装置を表す斜視図である。図１２は、上面カバーが開いた状態の図１１の記録装置を背面側から見た斜視図である。
【００７３】
図１１および図１２に示す記録装置３１は、本体３２と、上面カバー３３と、排紙カバー３４と、によってその外観が構成されている。尚、記録装置３１において、上面部側の構成は実施例１の記録装置１と同様であるので、以下において、図１１および図１２に表されていない他の部材について説明する際には、記録装置１における対応する符号を付して説明する。
【００７４】
図１１および図１２に示す記録装置３１は、記録装置３１の本体３２の背面側、すなわち、媒体セット部６の媒体搬送方向上流側（−Ｙ側）に設けられたロール紙ユニット２７から、媒体セット部６の開口部１３にロール紙（図示せず）を送り、該ロール紙への記録を行うことができるように構成されている。
【００７５】
ロール紙ユニット２７内にはロール紙が納められ、ロール紙の一端側が上部カバー３３に設けられた挿入口２５に挿入され、媒体セット部６にセットされるように構成されている。挿入口２５によって、ロール紙をガイドしつつ媒体セット部に媒体Ｐをセットすることができる。
【００７６】
媒体セット部６にセットされたロール紙は、更に、第１のエッジガイド部１１と第２のエッジガイド部１２によってその幅方向の側端部をガイドされる。したがって、パネルを閉じた状態でセット可能であるとともに、印刷可能となっている。  
このとき、実施例１と同様に、パネルユニットとしての液晶ディスプレイ８が媒体ガイド部６の開口部１３の一部とオーバーラップして設けられていることによって、オーバーラップしていない場合と比較して記録装置３１の小型化を実現することができる。  
また、液晶ディスプレイ８等のパネルユニットが開口部１３にオーバーラップしていない領域が、第１のエッジガイド部１１の操作領域Ｒであるので、第１のエッジガイド部１１の使用時の操作性、利便性に優れた記録装置３１とすることができる。
【００７７】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００７８】
１  記録装置、２  本体、３  上面カバー（第１の開閉部）、４  排紙カバー、
５  上面部、６  媒体供給部、７  操作パネル、８  液晶ディスプレイ、
９  開閉カバー（第２の開閉部）、１０  媒体排出部、
１１  第１のエッジガイド部、１１ａ  ラック部、１１ｂ  アーム部、
１２  第２のエッジガイド部、１２ａ  ラック部、１２ｂ  アーム部、
１３  媒体ガイド部、１４  支持面、１５  記録ヘッド、１６  キャリッジ、
１７  液体収納体、１８  載置面、１９  給紙ローラー、２０  搬送用ローラー、
２０ａ  搬送用駆動ローラー、２０ｂ  搬送用従動ローラー、２１  プラテン、
２２  排出用ローラー、２２ａ  排出用駆動ローラー、２２ｂ  従動ローラー、
２３  ピニオン、２３ａ  第１ギア部、２３ｂ  第２ギア部、
２４  斜面、２５  挿入口、２６  空間、２７  ロール紙ユニット、
２８  段差部、２９  フレーム、
３１  記録装置、３２  本体、３３  上面カバー、３４  排紙カバー、
Ｐ  媒体、Ｒ  操作領域
【図１】
2015202615.tif 000003
【図２】
2015202615.tif 000004
【図３】
2015202615.tif 000005
【図４】
2015202615.tif 000006
【図５】
2015202615.tif 000007
【図６】
2015202615.tif 000008
【図７】
2015202615.tif 000009
【図８】
2015202615.tif 000010
【図９】
2015202615.tif 000011
【図１０】
2015202615.tif 000012
【図１１】
2015202615.tif 000013
【図１２】
2015202615.tif 000014